(57)【特許請求の範囲】
【請求項１】
馬匹運搬車体内に前後にそれぞれ各馬匹収納室を形成し、この前後の各馬匹収納室にそれぞれ幅方向に三つの馬房を仕切り形成し、
前記各馬房の後部開口部にそれぞれ扉体を設け、
前記前部に形成した馬匹収納室の中央馬房の後部開口部を開閉する扉体は一側外方向及び他側外方向に向けてそれぞれ開放可能とした
ことを特徴とする馬匹運搬車。
【請求項２】
前部に形成した馬匹収納室の中央馬房の後部開口部を開閉する扉体には、両側に軸支ピンを挿通する上下方向の案内部を形成した上部軸支部材を取付け、
前記前部馬匹収納室の両側馬房の後部を開閉する扉体には、前記軸支ピンを挿通する上下方向の挿通部を有し前記中央馬房の後部を開閉する扉体を閉じた状態で前記上部軸支部材の下側に位置するとともに前記案内部と挿通部とが連通される下部軸支部材を取付けた
ことを特徴とする請求項１記載の馬匹運搬車。
【請求項３】
軸支ピンの上部に引っ掛け部を形成し、
この引っ掛け部を引っ掛け保持してこの軸支ピンの下部が中央馬房の後部を開閉する扉体を閉じた状態で下部に位置する下部軸支部材の挿通部から抜け外れた位置に保持する受け部を前部馬匹収納室の中央馬房の後部開口部を開閉する扉体の両側に設けた
ことを特徴とする請求項２記載の馬匹運搬車。
【請求項４】
前部馬匹収納室の中央馬房の後部を開閉する扉体を開いた状態に保持する係止部材を前記前部馬匹収納室の左右馬房の後部を開閉する両側扉体にそれぞれ設けたことを特徴とする請求項１ないし３のいずれかに記載の馬匹運搬車。
【発明の詳細な説明】
【０００１】
【発明の属する技術分野】
本発明は馬匹運搬車に係り、特に、馬匹運搬車体に幅方向に三つに仕切られた前部馬匹収納室の中央馬房の後部開口部を開閉する扉に関する。
【０００２】
【従来の技術】
従来の馬匹運搬車体内には前後に馬匹収納室がそれぞれ形成され、この前後の各馬匹収納室はそれぞれ幅方向に三つの馬房に仕切られ、各左右の各馬房の後部開口部には外側を車体に開閉可能な扉体がそれぞれ設けられ、各扉体はそれぞれ外方に向って開くように軸支され、また、前後の馬匹収納室に形成した中央馬房の後部扉体は馬房の仕切りに仕切り壁の構造上から軸支できないために、例えば前記中央の扉体の一側、例えば右側をヒンジにて右側の扉体に開閉自在に軸支し、中央の扉体が右側外方に向って開くようにした構成が採られている。
【０００３】
そして、馬匹を各馬房に載せるときには、後部の馬匹収納室に形成した各馬房の後部扉を開くとともに前部馬匹収納室の外側に位置し中央馬房の扉体を軸支した馬房の扉体を開き、馬匹運搬車体の後部馬匹収納室の中央馬房を経て馬匹を曳きながら各前部馬匹収納室の扉体が開いている外側の馬房にそれぞれ収納し、この馬匹が収納された外側の馬房の扉体を閉じた後、前部馬匹収納室の中央馬房に馬匹を収納して中央扉体を閉じるようにしている。さらに、前部馬匹収納部の各馬房に馬匹を収納した後に後部馬匹収納部の各馬房部に馬匹を収納するようにしている。
【０００４】
また、馬匹を降ろすときには、後部馬匹収納部の各馬房部から馬匹を収納降ろした後に、前部馬匹収納室の中央馬房の後部扉体を開いて中央馬房に収納した馬匹を後部馬匹収納室の中央馬房を経て降ろした後に外側の馬房から馬匹を降ろすようにしている。
【０００５】
このように、前部馬匹収納室にそれぞれ形成した中央馬房の後部扉体は一側の扉体に軸支されているため、一側馬房に馬匹が収納して扉体が閉じられている状態でなければ中央馬房に馬匹を収納できず、また、前部馬匹収納室の中央馬房に収納した馬匹を降ろした後に、この中央扉体を軸支した一側の扉体を開いて馬匹を降ろさなくてはならなかった。
【０００６】
【発明が解決しようとする課題】
上記従来の馬匹運搬車では、前部馬匹収納室の中央馬房の扉体が軸支されている一側の馬房に収納される馬匹を中央の馬房に収納する馬匹より先に載せなくてはならないため、予め載せる馬匹の順序を決めて載せる必要があり、また、馬匹を降ろす場合には、まず、中央の馬房の後部扉体を開き、この中央の馬房から馬匹を降ろし、次いでこの中央の扉が軸支されている一側の扉体を開いて馬匹を降ろさなくてはならないため、馬匹の積載および曳き出しの順序が決められる問題がある。
【０００７】
本発明は上記問題点に鑑みなされたもので、前部馬匹収納室の各馬房に任意の順序で馬匹を収納または曳き出しができる馬匹運搬車を提供するものである。
【０００８】
【課題を解決するための手段】
請求項１記載の発明の馬匹運搬車は、馬匹運搬車体内に前後にそれぞれ各馬匹収納室を形成し、この前後の各馬匹収納室にそれぞれ幅方向に三つの馬房を仕切り形成し、前記各馬房の後部開口部にそれぞれ扉体を設け、前記前部に形成した馬匹収納室の中央馬房の後部開口部を開閉する扉体は一側外方向及び他側外方向に向けてそれぞれ開放可能としたものである。
【０００９】
そして、前部馬匹収納室の両側馬房に馬匹が収納されていなくても中央の馬房に馬匹を収納でき、次いで、中央の扉体を閉じた状態で両側のいずれかの馬房の扉体を開いて馬匹を収納することもでき、任意の順序で馬匹を所定の馬房に収納できる。
【００１０】
また、馬匹を引き出すときにも中央馬房よりも両側のいずれの馬房から先に馬匹を曳き出すことができる。
【００１１】
請求項２記載の発明の馬匹運搬車は、請求項１記載の馬匹運搬車において、前部に形成した馬匹収納室の中央馬房の後部開口部を開閉する扉体には、両側に軸支ピンを挿通する上下方向の案内部を形成した上部軸支部材を取付け、前記前部馬匹収納室の両側馬房の後部を開閉する扉体には、前記軸支ピンを挿通する上下方向の挿通部を有し前記中央馬房の後部を開閉する扉体を閉じた状態で前記上部軸支部材の下側に位置するとともに前記案内部と挿通部とが連通される下部軸支部材を取付けたものである。
【００１２】
そして、前部馬匹収納室の各馬房の後部を開閉する扉体は閉じたときに、中央馬房の上部軸支部材の下側に側部の扉体の下部軸支部材が位置し、上部軸支部材の案内部から挿通した軸支ピンを落とし込むことにより軸支ピンは側部扉体の上部軸支部材の挿通部に挿通され、扉体は閉止状態に保持され、中央の扉体は側部の扉体に上部軸支部材と下部軸支部材および軸支ピンとにて簡単な構成で操作性が良好になる。
【００１３】
請求項３記載の発明の馬匹運搬車は、請求項２記載の馬匹運搬車において、軸支ピンの上部に引っ掛け部を形成し、この引っ掛け部を引っ掛け保持してこの軸支ピンの下部が中央馬房の後部を開閉する扉体を閉じた状態で下部に位置する下部軸支部材の挿通部から抜け外れた位置に保持する受け部を前部馬匹収納室の中央馬房の後部開口部を開閉する扉体の両側に設けたものである。
【００１４】
そして、扉体を開くときに、軸支ピンを上方に引き上げて引っ掛け部を中央扉体の受け部に引っ掛け保持することにより、軸支ピンが落ち込むことがなく、開放しようとする扉体がみだりに施錠状態になることがない。
【００１５】
請求項４記載の発明の馬匹運搬車は、請求項１ないし３のいずれかに記載の馬匹運搬車において、前部馬匹収納室の中央馬房の後部を開閉する扉体を開いた状態に保持する係止部材を前記前部馬匹収納室の左右馬房の後部を開閉する両側扉体にそれぞれ設けたものである。
【００１６】
そして、中央の扉体を開いた際にこの扉体を開いた側部の扉体に重ね合わせて係止部材にて係止でき、開いた中央扉体が妄りに閉止されることがないように保持できる。
【００１７】
【発明の実施の形態】
次に本発明の馬匹運搬車の一実施の形態を図面に基いて説明する。
【００１８】
馬匹運搬車体１内には前後に中間室２を挟んで各馬匹収納室３，４が形成され、この各馬匹収納室３，４は仕切り壁５にて幅方向に三つの馬房６，７，８，6a，7a，8aが仕切り形成されている。この各馬房６，７，８，6a，7a，8aの前部開口部には馬匹が前側に移動することを防止する前側馬栓棒９がそれぞれ着脱自在に設けられている。
【００１９】
また、前記前部馬匹収納室３の各馬房６，７，８の後部には開閉自在の扉体10，11，12が設けられている。この左右側馬房６，８の後部を開閉する扉体10，12は外側が車体１に回動自在にヒンジ20にて軸支されている。
【００２０】
さらに、前記前部馬匹収納室３の中央馬房７の後部を開閉する扉体11には左右両側に軸支ピン13を挿通する上下方向の筒状の案内部14を形成した上部軸支部材15，15をそれぞれ上下位置に取付け、前記前部馬匹収納室３の左右側馬房６，８の後部を開閉する扉体10，12の内側部には、前記軸支ピン13を挿通する上下方向の挿通部16を有し前記中央馬房７の後部を開閉する扉体11を閉じた状態で前記上部軸支部材15，15の下側に位置するとともに前記案内部14と挿通部16とが連通される下部軸支部材17，17が取付けられている。
【００２１】
そして、前記中央扉体11は両側の上部軸支部材15，15の案内部14とこの上部軸支部材15，15の下側に位置する両側の扉体10，12の下部軸支部材17，17の挿通部16とに挿通した軸支ピン13にて閉じた状態に保持される。
【００２２】
また、前記中央扉体11の両側の上部軸支部材15，15の案内部14と下部軸支部材17，17の挿通部16とにそれぞれ挿通した軸支ピン13，13の一方を上方に抜き外すことにより中央扉体11は他側外方に向けて開放可能となり、また、他方の軸支ピン13，13の一方を上方に抜き外すことにより中央扉体1１は一側外方に向けて開放可能となり、前部馬匹収納室３の中央馬房７の後部を開閉する扉体11は左右側外方に開放できるようになっている。
【００２３】
また、図４に示すように、前記軸支ピン13の上部に引っ掛け部18が略直角方向に折り曲げ形成され、この引っ掛け部18を引っ掛け保持してこの軸支ピン13の下部が下部軸支部材17，17の挿通部16から抜け外れた位置に保持する受け部19が前部馬匹収納室３の中央馬房７の後部を開閉する扉体11に設けられている。
【００２４】
また、前記後部馬匹収納室４の両側部の馬房6a，8aの後部には開閉自在の扉体20，21が設けられ、この左右側馬房6a，8aの後部を開閉する扉体20，21は外側が車体１に回動自在にヒンジ20にて軸支されている。
【００２５】
また、この後部馬匹収納室４の両側部の馬房6a，8aの後部を開閉する扉体21，22の内側部には中央の馬房７の後部を開閉する両開きの扉体23，23がヒンジにて開閉自在に取付けられ、この両扉体23，23を閉じることにより中央の馬房７aの後部を閉じることができる。
【００２６】
また、前記前部馬匹収納室３の中央の馬房７を開閉する扉体11は両側の馬房６，８を閉じる扉体10，12よりやや狭い幅に形成され、中央の扉体11を開いて重ね合せた状態に保持する係止部材24が前記前部馬匹収納室の左右馬房６，８の後部を開閉する左右扉体10，12にそれぞれ設けられている。この係止部材24は中央の扉体11の両側にそれぞれ取付けた筒状の係止受け部25に係脱自在に係止される進退自在の係止ピン26にて形成されている。
【００２７】
さらに、前後部馬匹収納室３，４の各馬房６，6a，７，7a，８，8aの後部には後部馬栓棒27が設けられている。
【００２８】
また、前後部馬匹収納室３，４の両側の馬房６，6a，８，8aの扉体10，12，21，22には仕切り壁５に係脱自在に結合する結合手段28が設けられている。
【００２９】
次に、この実施の形態の作用について説明する。
【００３０】
前部の馬匹収納室３に馬匹を収納するときには、後部馬匹収納室４の中央馬房7aの後部扉体23，23を開き、中央馬房7aを通路として中間室２に馬匹を誘導し、前部馬匹収納室３の馬房６，７，８のうちの所定の馬房に馬匹を収納する。
【００３１】
このとき、前部馬匹収納室３の両側馬房６，８に馬匹が収納されていなくても中央の馬房７に馬匹を収納できる。例えば、中央の扉体11を閉じた状態で両側の馬房６，８の一方の扉体10を一側外方に向けて開いて馬匹を収納することができ、任意の順序で馬匹を所定の馬房に収納できる。
【００３２】
また、馬匹を引き出すときにも、中央の馬房７に馬匹が収納されて中央の扉体11が閉じている状態でも両側の馬房６，８のいずれかの後部扉体、例えば、扉体10を一側外方に向けて開き、馬房６の馬匹を曳き出して後部馬匹収納室４の中央馬房7aを経て車外に曳き出すことができる。
【００３３】
そして、前部馬匹収納室３の各馬房６，７，８の後部開口部を開閉する扉体10，11，12は閉じたときに、中央馬房７の上部軸支部材15の下側が側部の扉体、例えば一側の扉体10の下部軸支部材17に乗り上げるように上部軸支部材15の下側に位置し、上部軸支部材15の案内部14から挿通した軸支ピン13を落とし込むことにより軸支ピン13は側部の扉体10の下部軸支部材17の挿通部16に挿通され、一側の扉体10は閉止状態に保持されるとともに中央の扉体11は側部の扉体10に上部軸支部材15の案内部14と下部軸支部材17の挿通部16とに挿通された軸支ピン13とにて閉止状態に保持され、上部軸支部材15と下部軸支部材17及び軸支ピン13との簡単な構成で扉体10，11，12を容易に開閉できるように扉体10，11，12を軸支できる。
【００３４】
また、扉体10，11，12を開くときに、軸支ピン13を上方に引き上げて引っ掛け部18を中央扉体11の受け部19に引っ掛け保持することにより、軸支ピン13が下部軸支部材17の挿通部16に落ち込むことがなく、開放しようとする扉体がみだりに施錠状態になることがない。
【００３５】
また、中央の扉体11を開いた際にこの扉体11を開いた側部の扉体10，12に重ね合わせて係止部材24の係止ピン26を開いた中央の扉体11の係止受け部25に係止することにより、中央の扉体11は開いた状態に保持され、中央の扉体11はが妄りに閉止されることがないように保持できる。
【００３６】
前記実施の形態では、前部馬匹収納室３の中央馬房７の後部開口部を開閉する扉体11を両側外方のいずれかにも向けて開放できるようにするとともに後部馬匹収納室４の中央馬房7aの後部開口部を開閉する扉体23，23を両開きとした構成について説明したが、後部馬匹収納室４の中央馬房7aの後部開口部を開閉する扉体も両側外方のいずれかにも向けて開放できるようにすることもできる。
【００３７】
【発明の効果】
請求項１記載の発明によれば、前部馬匹収納室の両側馬房に馬匹が収納されていなくても中央の馬房に馬匹を収納でき、また、中央の扉体を閉じた状態で両側のいずれかの馬房の扉体を開いて馬匹を収納することもでき、任意の順序で馬匹を所定の馬房に収納できるとともに任意の順序で馬匹を所定の馬房から降ろすことができる。
【００３８】
請求項２記載の発明によれば、前部馬匹収納室の各馬房の後部を開閉する扉体は閉じたときに、上部軸支部材の案内部から挿通した軸支ピンを落とし込むことにより軸支ピンは側部扉体の上部軸支部材の挿通部に挿通され、扉体は閉止状態に保持され、中央の扉体は側部の扉体に上部軸支部材と下部軸支部材および軸支ピンとにて簡単な構成で操作性が良好になる。
【００３９】
請求項３記載の発明によれば、扉体を開くときに、軸支ピンを上方に引き上げて引っ掛け部を中央扉体の受け部に引っ掛け保持することにより、軸支ピンが落ち込むことがなく、開放しようとする扉体がみだりに施錠状態になることがない。
【００４０】
請求項４記載の発明によれば、中央の扉体を開いた際にこの扉体を開いた側部の扉体に重ね合わせて係止部材にて係止でき、開いた中央扉体が妄りに閉止されることがないように保持できる。
【図面の簡単な説明】
【図１】本発明の一実施の形態を示す馬匹運搬車の平面説明図である。
【図２】同上前部馬匹収納室の扉体部の斜視図である。
【図３】同上扉体を開いた状態の斜視図である。
【図４】同上扉体の軸止部材部の斜視図である。
【符号の説明】
１    馬匹運搬車体
３，４    馬匹収納室
６，6a，７，7a，８，8a    馬房
10，11，12    扉体
13    軸支ピン
14    案内部
15    上部軸支部材
16    挿通部
17    下部軸支部材
18    引っ掛け部
19    受け部
24    係止部
【図１】
0003787270.tif 000002
【図２】
0003787270.tif 000003
【図３】
0003787270.tif 000004
【図４】
0003787270.tif 000005